(57)【特許請求の範囲】
【請求項１】
人体の鼻孔に装着される一対の鼻孔管を有する鼻孔カニューラと、
該鼻孔カニューラに接続固定され前記鼻孔管に連通する一対の呼吸用気体流通用チューブと、
これら呼吸用気体流通用チューブの各端部に接続固定されたアダプタ管と、
該アダプタ管に着脱自在に接続されるコネクタ管と、
該コネクタ管に接続固定された呼吸用気体供給用チューブと
を備え、
前記アダプタ管および前記コネクタ管は、いずれか一方が受入部を有する雌部材、他方が挿入部を有する雄部材として、互いに挿脱自在に設けられ、
前記挿入部の基端部の外面に設けられ、周方向全周に延びる突条または凹溝からなるリング状部と、
前記受入部に設けられ、該受入部に挿入された前記挿入部の前記リング状部を係止する突起部を有するロック片と
を有し、
前記挿入部の外面は、先端部に向かうにしたがって漸次縮径し、長さ方向途中位置の外径Ｄ１が前記受入部の先端開口の内径Ｄ２と同寸法であるテーパー状に形成されており、
前記ロック片は、前記受入部の外面の一部に沿う円弧状に形成されるとともに、周方向一方の端部が前記受入部の外面に固定されたヒンジ軸を介して回動自在に支持され、かつ、つまみ部を有しており、
前記突起部は、半径方向内方に突出して形成され、前記挿入部が前記受入部に挿入された状態において、前記ロック片が前記挿入部の一部を覆ったときに前記リング状部を係止することを特徴とするカニューラ装置。
【請求項２】
前記リング状部は前記突条であって、
前記突起部は、前記挿入部が前記受入部に挿入された状態において、前記リング状部よりも前記挿入部の前記基端部側に位置する
ことを特徴とする請求項１に記載のカニューラ装置。
【請求項３】
前記リング状部は前記凹溝であって、
前記突起部は、前記挿入部が前記受入部に挿入された状態において、前記リング状部内にはまり込む
ことを特徴とする請求項１に記載のカニューラ装置。
【請求項４】
前記受入部の外面に、前記リング状部を係止した状態に前記ロック片を固定する係止部が設けられていることを特徴とする請求項１から３のいずれかに記載のカニューラ装置。
【発明の詳細な説明】
【技術分野】
【０００１】
本発明は、酸素などの呼吸用気体を人体に供給する際に用いられるカニューラ装置に関する。
【背景技術】
【０００２】
従来から、所定量の酸素を含んだ呼吸用気体を患者の気道へ送る人工呼吸器や、酸素吸入療法のための装置が知られており、これらの装置から送られる呼吸用気体はカニューラ装置によって人体に供給される。このカニューラ装置は、人体の鼻孔に取り付けられる鼻孔カニューラに複数のチューブが接続された構成であり、そのチューブに人工呼吸器や酸素発生装置等の呼吸気体供給装置が接続される。
【０００３】
従来、例えば特許文献１に示すカニューラ装置は、中空構造でフレキシブルな鼻孔カニューラと、この鼻孔カニューラの両端部にそれらの一端部をそれぞれ連結されている呼吸気体供給用チューブとしての左右一対のフレキシブルで比較的短い第１の酸素供給用チューブと、これら一対の第１の酸素供給用チューブの他端部を呼吸気体供給用チューブとしての一本のフレキシブルで比較的短い第２の酸素供給用チューブの一端部に連結しているフレキシブルなＹ字形コネクタと、第２の酸素供給用チューブの他端部に取り付けられているコネクタとを備えている。このコネクタは、第３の酸素供給用チューブの端部のコネクタが着脱される。第３の酸素供給用チューブは、比較的長いフレキシブルな呼吸気体供給用チューブであり、呼吸気体供給装置に接続される。
【先行技術文献】
【特許文献】
【０００４】
【特許文献１】特開２０１１−０１５７３１号公報
【発明の概要】
【発明が解決しようとする課題】
【０００５】
このようなカニューラ装置において、鼻孔カニューラ側のコネクタと呼吸気体供給装置側の供給チューブ先端のコネクタとが着脱されるが、接続ミス等により不用意に脱落しないようにする必要がある。患者が心肺停止状態である場合などに呼吸用気体を人体に強制的に供給する場合や、近年注目されているハイフロー療法（患者の呼気よりも高い流量で呼吸用気体を供給する療法）においては、通常よりも高流量で呼吸用気体が人体に供給されるが、このような高流量の呼吸用気体を供給する場合に、特に抜け止めを確実にする必要がある。反面、緊急時には簡単に脱着できることが望まれる。
【０００６】
本発明は、このような事情に鑑みてなされたもので、鼻孔カニューラのチューブと呼吸気体供給装置側の供給チューブとの着脱を容易かつ確実にしたカニューラ装置を提供することを目的とする。
【課題を解決するための手段】
【０００７】
本発明に係るカニューラ装置は、人体の鼻孔に装着される一対の鼻孔管を有する鼻孔カニューラと、該鼻孔カニューラに接続固定され前記鼻孔管に連通する一対の呼吸用気体流通用チューブと、これら呼吸用気体流通用チューブの各端部に接続固定されたアダプタ管と、該アダプタ管に着脱自在に接続されるコネクタ管と、該コネクタ管に接続固定された呼吸用気体供給用チューブとを備え、前記アダプタ管および前記コネクタ管は、いずれか一方が受入部を有する雌部材、他方が挿入部を有する雄部材として、互いに挿脱自在に設けられ、前記挿入部の基端部の外面に設けられ、周方向全周に延びる突条または凹溝からなるリング状部と、前記受入部に設けられ、該受入部に挿入された前記挿入部の前記リング状部を係止する突起部を有するロック片とを有し、前記挿入部の外面は、先端部に向かうにしたがって漸次縮径し、長さ方向途中位置の外径Ｄ１が前記受入部の先端開口の内径Ｄ２と同寸法であるテーパー状に形成されており、前記ロック片は、前記受入部の外面の一部に沿う円弧状に形成されるとともに、周方向一方の端部が前記受入部の外面に固定されたヒンジ軸を介して回動自在に支持され、かつ、つまみ部を有しており、前記突起部は、半径方向内方に突出して形成され、前記挿入部が前記受入部に挿入された状態において、前記ロック片が前記挿入部の一部を覆ったときに前記リング状部を係止する。
【０００８】
コネクタ管とアダプタ管とのうちの一方を雌部材（受入部）、他方を雄部材（挿入部）として、雄部材を雌部材に挿入した状態でリング状部およびロック片が互いに係止されることにより、コネクタ管とアダプタ管との接続状態を維持することができる。この場合、ロック片と係止されるリング状部は、周方向に沿って形成されるので、コネクタ管とアダプタ管との周方向の位置関係にかかわらず、コネクタ管とアダプタ管とを確実にロック状態とすることができる。したがって、コネクタ管とアダプタ管とを接続する際に、その周方向の向きを意識することなく挿入するだけでよく、簡単である。
この場合、円弧状のロック片を、ヒンジ軸を中心に開閉する操作によってコネクタ管とアダプタ管との接続状態のロックおよびその解除をすることができ、操作性がよい。
【０００９】
なお、コネクタ管とアダプタ管とは、いずれを挿入部（雄部材）で、いずれを受入部（雌部材）とするかは任意であり、ロック片は、その雌部材（受入部）の外面に設けられていればよい。
【００１０】
本発明のカニューラ装置において、前記リング状部が突条からなる場合、前記突起部は、前記挿入部が前記受入部に挿入された状態において、前記突条からなる前記リング状部よりも前記挿入部の前記基端部側に位置するとよい。
【００１１】
あるいは、本発明のカニューラ装置において、前記リング状部が凹溝からなる場合、前記突起部は、前記挿入部が前記受入部に挿入された状態において、前記凹溝からなる前記リング状部内にはまり込むとよい。
【００１３】
本発明のカニューラ装置において、前記受入部の外面に、前記リング状部を係止した状態に前記ロック片を固定する係止部が設けられているとよい。
【００１４】
ロック片を固定する係止部を設けることで、アダプタ管とコネクタ管との接続状態を維持することができ、通常よりも高流量で呼吸用気体が人体に供給される場合にも、抜け止めを確実にすることができる。
【発明の効果】
【００１５】
本発明のカニューラ装置によれば、アダプタ管とコネクタ管との着脱時に、その周方向の向きを意識する必要がなく着脱が容易である、また、ロック片でアダプタ管とコネクタ管とを係止することで、鼻孔カニューラと呼吸用気体供給用チューブとを接続した状態を確実に維持することができる。
【図面の簡単な説明】
【００１６】
【図１】本発明に係るカニューラ装置の一実施形態を示す正面図である。
【図２】図１のカニューラ装置におけるアダプタ管とコネクタ管との非接続状態を示す左側面図である。
【図３】図１のカニューラ装置におけるアダプタ管とコネクタ管との非接続状態を示す縦断面図である。
【図４】図１のカニューラ装置におけるアダプタ管とコネクタ管との接続状態を示す縦断面図である。
【図５】図１のＢ−Ｂ線に沿う断面図である。
【図６】図５のロック片を開いた状態を示す断面図である。
【発明を実施するための形態】
【００１７】
以下、本発明に係るカニューラ装置の実施形態を、図面を参照しながら説明する。
図１および図２に示すように、カニューラ装置１は、患者の鼻孔に装着される一対の鼻孔管２を有する鼻孔カニューラ３と、鼻孔カニューラ３に接続固定され鼻孔管２に連通する一対の呼吸用気体流通用チューブ４と、これら呼吸用気体流通用チューブ４の各端部に接続固定されたアダプタ管６（雄部材）と、アダプタ管６に着脱自在に接続されるコネクタ管７Ａ（雌部材）と、このコネクタ管７Ａに接続固定された呼吸用気体供給用チューブ７と、コネクタ管７Ａの外面に回動自在に支持されたロックドア（ロック片）９と、鼻孔カニューラ３を患者の頭部に固定するための固定用部材１３とを備える。
【００１８】
鼻孔カニューラ３は、図１の上方に向けて設けられた鼻孔管２と、これら鼻孔管２を挟んで左右両端部に設けられ各鼻孔管２に連通して開口する接続端部５とを有し、患者に装着されたときに顔の表面に沿うように、左右方向の中央部（鼻孔管２近傍）が屈曲して形成されている。鼻孔カニューラ３は、全体がスチレン系エラストマー、シリコンゴム、ウレタン等、軟質の合成樹脂によって形成されている。
【００１９】
呼吸用気体流通用チューブ４は、各一端が鼻孔カニューラ３の接続端部５にそれぞれ接続されており、各他端がアダプタ管６に接続されている。呼吸用気体流通用チューブ４としては、汎用品のノーマルチューブもしくは、折れ曲がっても閉塞しにくいようにチューブ内面の長手方向に沿ってリブが設けてあるノンクラッシュチューブのいずれも使用することができる。
【００２０】
固定用部材１３は、２本の呼吸用気体流通用チューブ４それぞれに装着されている一対のブラケット２０に係止されている。固定用部材１３は、本実施形態ではゴム紐を使用している。このゴム紐は、先端部１３Ａが細い棒状に固められており、本体部１３Ｂは帯紐状で伸縮性を有している。
【００２１】
本実施形態では、アダプタ管６およびコネクタ管７Ａは、コネクタ管７Ａが受入部７Ｃを有する雌部材、アダプタ管６が挿入部６Ｃを有する雄部材として、互いに挿脱自在に設けられている。
【００２２】
アダプタ管６は、図３に示すように、２本の呼吸用気体流通用チューブ４がそれぞれ接続される一対の導入管６Ａと、これら導入管６Ａに連通して開口する略円筒状の挿入部６Ｃとが一体に硬質な合成樹脂によって形成されたものであり、２本の呼吸用気体流通用チューブ４の各流路を、１本の呼吸用気体供給用チューブ７の流路に接続する。
【００２３】
アダプタ管６の挿入部６Ｃの外面は、先端部に向かうにしたがって漸次縮径し、長さ方向途中位置の外径Ｄ１が受入部７Ｃの先端開口の内径Ｄ２と同寸法であるテーパー状に形成されている。挿入部６Ｃの基端部には、フランジ状に拡径する、周方向全周に延びる突条からなるリング状部６Ｂが一体に形成されている。
【００２４】
アダプタ管６に対して着脱自在に接続されるコネクタ管７Ａは、全体が屈曲自在かつ伸縮自在な蛇腹状の呼吸器用気体供給用チューブ７の先端に接続固定されている。コネクタ管７Ａは、硬質な合成樹脂によって形成されており、図２および図３に示すように、アダプタ管６の挿入部６Ｃを受け入れる略円筒状の受入部７Ｃと、受入部７Ｃ外面にロックドア９を回動可能に支持する支持部１６と、ロックドア９がアダプタ管６のリング状部６Ｂの一部を覆ったときにロックドア９の端部を係止する係止部１４Ａ（図５参照）とを含む。
【００２５】
受入部７Ｃは、アダプタ管６の挿入部６Ｃを全方位受け入れ可能、すなわち互いの回転位置に関わらず挿入可能なテーパー状の内周面１９を有する。受入部７Ｃの先端開口の内径Ｄ２と挿入部６Ｃのテーパー状部分の長さ方向途中位置の外径Ｄ１とが同寸法とされていることで、アダプタ管６とコネクタ管７Ａとがより確実に気密に接続され、呼吸用気体の漏れなどの発生を防止することができる。
【００２６】
支持部１６には、軸方向と平行なヒンジ軸８が固定されている。例えば、本実施形態では、ヒンジ軸８の上端部を突出させた状態で下端部を固定している。
【００２７】
ロックドア９は、図４〜図６に示すように、全体として受入部７Ｃの外径よりわずかに大きい内径の円弧板状に形成され、周方向一方の端部に設けられヒンジ軸８を挿通させる貫通孔１５と、周方向他方の先端部から内向きに突出するように設けられた係止爪１４Ｂと、係止爪１４Ｂの外側に設けられたつまみ部１８と、周方向に沿って上縁部から半径方向内方に突出する突起部９Ｂとを有する。
【００２８】
突起部９Ｂは、図４に示すように、ロックドア９の縦断面においてＬ字の鈎状をなし、アダプタ管６の挿入部６Ｃがコネクタ管７Ａの受入部７Ｃに挿入されたときに、挿入部６Ｃのリング状部６Ｂよりもアダプタ管６の基端側に配設されるように、すなわち突起部９Ｂと受入部７Ｃの開口端との間にリング状部６Ｂが位置する関係に設定されている。
【００２９】
次に、アダプタ管６とコネクタ管７Ａとを接続する手順について説明する。図３には、アダプタ管６とコネクタ管７Ａとを非接続状態とし、ロックドア９を開放した状態の縦断面図を示している。図５は、ロックドア９を閉鎖した状態の図１のＢ−Ｂ線に沿う断面矢視図である。図６は、ロックドア９を開放した状態の断面図を示している。
【００３０】
まずロックドア９を開放した状態で、アダプタ管６の挿入部６Ｃを、コネクタ管７Ａの受入部７Ｃに挿入する（図６）。このとき、挿入部６Ｃの外径Ｄ１の位置が受入部７Ｃに完全に入る位置まで挿入する。次にロックドア９を回動させて、突起部９Ｂをリング状部６Ｂの基端側に配置して円弧板状部が挿入部６Ｃの外周面の一部を覆った状態とし、受入部７Ｃの外周面に設けられた係止部１４Ａにロックドア９の係止爪１４Ｂを係止させ、ロックドア９が回動しないように固定する（図５）。ロックドア９を固定すると、ロックドア９の突起部９Ｂがアダプタ管６のリング状部６Ｂの上面側に重なるように配置され、アダプタ管６を抜け止めすることができる。
【００３１】
ロックドア９の突起部９Ｂは半径方向内方に突出し、アダプタ管６のリング状部６Ｂは周方向に沿って全周にわたり形成されているので、コネクタ管７Ａとアダプタ管６との周方向の位置関係にかかわらず挿入でき、確実にロック状態とすることができる。したがって、これらを接続する際にその周方向の向きを意識することなく、アダプタ管６をコネクタ管７Ａに挿入すればよく、着脱が非常に簡単である。
【００３２】
また、係止部１４Ａと係止爪１４Ｂとによって、ロックドア９が受入部７Ｃに対して固定されるので、アダプタ管６とコネクタ管７Ａとの接続状態を維持することができ、通常よりも高流量で呼吸用気体が人体に供給されて管内が高圧となる場合にも、抜け止めを確実にすることができる。
【００３３】
なお、本発明は前記実施形態の構成のものに限定されるものではなく、細部構成においては、本発明の趣旨を逸脱しない範囲において種々の変更を加えることが可能である。
【００３４】
前記実施形態では、アダプタ管６をコネクタ管７Ａに挿入したが、鼻孔カニューラ側のアダプタ管を雌部材、呼吸用気体供給用チューブ側のコネクタ管を雄部材として、コネクタ管をアダプタ管に挿入する形態でもよい。
【００３５】
前記実施形態では、アダプタ管６のリング状部６Ｂを、挿入部６Ｃの外面から突出するリング状に形成したが、挿入部６Ｃの外面から陥没する凹溝状としてもよい。
【００３６】
前記実施形態では、ロックドア（ロック片）９を円弧板状に形成したが、円弧の棒状で形成してもよい、さらに必ずしも円弧状でなくてもよく、リング状部を係止できる形状であればよい。
【００３７】
前記実施形態では、ロックドア（ロック片）９の係止爪１４Ｂを係止する係止部１４Ａを設けたが、ロック片の係止構造はその形態に限定するものではなく、例えば、ロック片の周方向長さを受入部の外周面の半分よりも若干大きくし、ロック片を弾性変形可能に形成することにより、その弾性力で受入部の外周面に係止する形態としてもよい。
【符号の説明】
【００３８】
１  カニューラ装置
２  鼻孔管
３  鼻孔カニューラ
４  呼吸用気体流通用チューブ
５  接続端部
６  アダプタ管
６Ａ  導入管
６Ｂ  リング状部
６Ｃ  挿入部
７  呼吸用気体供給用チューブ
７Ａ  コネクタ管
７Ｃ  受入部
８  ヒンジ軸
９  ロックドア（ロック片）
９Ｂ  突起部
１３  固定用部材
１３Ａ  先端部
１３Ｂ  本体部
１４Ａ  係止部
１４Ｂ  係止爪
１５  貫通孔
１６  支持部
１８  つまみ部
１９  内周面
２０  ブラケット
【図１】
0006305369.tif 000002
【図２】
0006305369.tif 000003
【図３】
0006305369.tif 000004
【図４】
0006305369.tif 000005
【図５】
0006305369.tif 000006
【図６】
0006305369.tif 000007